(57)【要約】【課題】演奏時に演奏者が吐いた息を適度に抜くことにより演奏がしやすくなり、内部に唾液が溜まることのない電子楽器を提供すること。【解決手段】楽器本体１０の一端に着脱可能に設けられたマウスピース１１と、楽器本体１０に設けられマウスピース１１から入力された演奏者の音声を音声信号に変換するマイクロフォン２１と、マイクロフォン２１が変換した音声信号を解析する信号処理装置３０と、信号処理装置３０の解析結果に応じて、楽音信号を生成する音源３３とで電子楽器Ｍを構成した。そして、楽器本体１０におけるマイクロフォン２１とマウスピース１１の口当て部１１ｂとの間に、音声通過穴部２７ａを備えた穴あき壁部２７を設けるとともに、穴あき壁部２７の手前側下部に、息抜き穴２３ａと切欠き１１ａとからなる外部に通じる連通穴部を設けた。【選択図】  図３
2005043520.tif 000002
【特許請求の範囲】
【請求項１】
楽器本体の一端に設けられ演奏者が音声を入力するための音声入力用開口部と、
前記楽器本体に設けられ前記音声入力用開口部から入力された演奏者の音声を音声信号に変換するマイクロフォンと、
前記マイクロフォンが変換した音声信号を解析する解析手段と、
前記解析手段の解析結果に応じて、楽音信号を生成する楽音信号生成手段と
を備えた電子楽器であって、
前記楽器本体における前記マイクロフォンと前記音声入力用開口部との間に、前記演奏者の音声を通過させる音声通過穴部を備えた壁部を設けるとともに、前記壁部と前記音声入力用開口部との間に、外部に通じる連通穴部を設けたことを特徴とする電子楽器。
【請求項２】
前記連通穴部を、前記楽器本体の下部に設けた請求項１に記載の電子楽器。
【発明の詳細な説明】
【０００１】
【発明の属する技術分野】
本発明は、演奏者の発声に応じて楽音を決定し発音する機能を備えた電子楽器に関する。
【０００２】
【従来の技術】
従来から、電子楽器、例えば、トランペットの形状を備えた電子楽器の中には、複数の演奏操作子（ピストンバルブ）の押圧操作の組み合わせによって発生すべき楽音の音高の候補が決定され、さらに、マウスピース等からの音声の入力によりアンブッシュア情報が決定されることで、所定の楽音が発生される仕組みになっているものがある（例えば、特許文献１参照）。
【０００３】
この電子楽器では、マウスピースの近傍に、マイクロフォンが設けられるとともに、ベル部にスピーカーが設けられている。そして、楽器本体におけるマウスピースとベル部との間に、演奏操作子の操作によって入力される信号と、マイクロフォンから入力される音声信号とから楽音を決定しその楽音信号をスピーカーに送る信号処理装置が設けられている。このため、演奏者が、マウスピースに口を当てて発声しながら、演奏操作子を操作すると、生成された楽音がスピーカーからトランペットの音色として発音される。
【０００４】
【特許文献１】
特開２００３−９１２８４号公報
【０００５】
【発明が解決しようとする課題】
しかしながら、前述した電子楽器では、周辺の音がノイズとしてマイクロフォンに入らないようにするために、演奏者がマウスピースに口を密着させて音声の入力を行うと、マウスピース内の息が外部に出なくなって内部の息圧が高くなり演奏がしにくくなるという問題が生じていた。また、その状態で、無理に音声の入力を行うと、息圧で息が楽器本体内の信号処理装置側に入り込み、その湿気等で電子楽器が破損してしまうという問題も生じていた。さらに、楽器内部に唾液などによる汚れが溜まり不潔になるという問題も生じていた。
【０００６】
【発明の概要】
本発明は、上記問題に対処するためになされたもので、その目的は、演奏時に演奏者が吐いた息を適度に抜くことにより演奏がしやすくなり、内部に唾液が溜まることのない電子楽器を提供することである。
【０００７】
上記の目的を達成するため、本発明にかかる電子楽器の構成上の特徴は、楽器本体の一端に設けられ演奏者が音声を入力するための音声入力用開口部と、楽器本体に設けられ音声入力用開口部から入力された演奏者の音声を音声信号に変換するマイクロフォンと、マイクロフォンが変換した音声信号を解析する解析手段と、解析手段の解析結果に応じて楽音信号を生成する楽音信号生成手段とを備えた電子楽器であって、楽器本体におけるマイクロフォンと音声入力用開口部との間に演奏者の音声を通過させる音声通過穴部を備えた壁部を設けるとともに、壁部と音声入力用開口部との間に外部に通じる連通穴部を設けたことにある。
【０００８】
前記のように構成した本発明の電子楽器においては、楽器本体におけるマイクロフォンよりも音声入力用開口部に近い部分に演奏者の音声を通過させる音声通過穴部を備えた壁部を設けている。このため、演奏者が発生する音声は、音声入力用開口部から楽器本体に入り、壁部の音声通過穴部を通ってマイクロフォンに入力される。その際、演奏者が発生する音声とともに、楽器本体に吐出される息や唾液は、壁部によって遮られ、楽器本体のマイクロフォン側まで侵入することを防止される。この場合の壁部の音声通過穴部には、多孔質材料や膜状材料などで構成され、息や唾液の侵入は防止するが音声は通してマイクロフォンに入力させることのできる部材を設けておくことが好ましい。
【０００９】
また、本発明に係る電子楽器では、楽器本体における音声通過穴部を備えた壁部よりも音声入力用開口部に近い部分に外部に通じる連通穴部を設けている。このため、演奏者が発声とともに吐出した息は、音声入力用開口部から楽器本体に入り、壁部に当たったのち、または直接に連通穴部から外部へと抜け出ていく。したがって、楽器本体内から息が出ずに内部の息圧が高くなって演奏がしにくくなるということが生じない。また、楽器本体の内部に唾液が溜まることも防止できる。
【００１０】
また、本発明にかかる電子楽器の他の構成上の特徴は、連通穴部を、楽器本体の下部に設けたことにある。これによると、連通穴部から唾液を排出するための操作、例えば、電子楽器を回転させたり振ったりする操作を行うことなく、通常の使用状態で、唾液は下方に落ちて行くため、楽器本体の内部に溜まることがなくなる。また、演奏者が発声とともに吐出した息は、マイクロフォンの手前で連通穴部から外部へと抜け出ていく。
【００１１】
また、本発明にかかる電子楽器は、楽器本体にマウスピースを着脱可能に設け、マウスピースの一方の開口部で音声入力用開口部を構成することもできる。これによると、電子楽器の内部を清掃する場合には、マウスピースを楽器本体から取り外すことができ、これによって清掃作業が容易になる。
【００１２】
また、本発明にかかる電子楽器は、マイクロフォンの音声入力用開口部側の部分を多孔質部材で被覆することもできる。これによると、演奏者の発声に伴って吐出される息や唾液がマイクロフォンに付着することを防止できる。また、この場合、多孔質部材が音声通過穴部を塞ぐようにしてマイクロフォンを壁部に取り付けることが好ましい。これによると、演奏者の発声にともなって吐出される息や唾液が、楽器本体のマイクロフォン側まで侵入することを確実に防止できる。
【００１３】
また、多孔質部材としては、振動緩衝機能を備えたスポンジを用いることが好ましい。これによると、周囲のノイズが振動として楽器本体に伝わっても、この振動がスポンジによって吸収されるため、マイクロフォンには音として入力されなくなる。これによって、ノイズがマイクロフォンに入力されることを防止できる。
【００１４】
【発明の実施の形態】
以下、本発明の一実施形態を図面を用いて説明する。図１は、同実施形態にかかる電子楽器Ｍを示している。この電子楽器Ｍは、前後方向（図示の左右方向）に長尺になったトランペットの形状に形成されており、管状部１０ａと、管状部１０ａの中央下部に形成されたパネル部１０ｂとからなる樹脂製の楽器本体１０を備えている。楽器本体１０の手前側端部（演奏者が位置する側であり後端部）には、マウスピース１１が楽器本体１０に対して着脱可能に取り付けられており、楽器本体１０の先端（前端）には先端開口が大きく広がったベル部１０ｃが形成されている。
【００１５】
そして、楽器本体１０の略中央には親指を入れることのできる四角形の大きな中央孔１０ｄが形成されており、演奏者は、パネル部１０ｂにおける中央孔１０ｄの前方部分を握って電子楽器Ｍを支持することができる。また、楽器本体１０の前後方向の中央上部には、前後方向に沿って手前側から先端側に向かって演奏操作子としての第１ピストンバルブ１２、第２ピストンバルブ１３および第３ピストンバルブ１４が組み付けられている。これらの第１〜第３ピストンバルブ１２〜１４は、上下に延設されたロッド１２ａ，１３ａ，１４ａと、ロッド１２ａ〜１４ａの上端に固着されて指で押圧操作される円盤状の操作部１２ｂ，１３ｂ，１４ｂとをそれぞれ備えている。
【００１６】
そして、パネル部１０ｂの手前側の一側面には、この電子楽器Ｍの作動態様を指示するための複数のパネル操作子１５と、同作動態様などを表示するための液晶ディスプレイで構成した表示器１６とが設けられている。この電子楽器Ｍの作動態様としては、モード、音色、音量、楽音に付加する効果および自動演奏などがある。
【００１７】
また、パネル部１０ｂの下端部には、先端側に延びる突起が設けられその突起の先端上部にリング状のトリガー１７が設けられている。このトリガー１７は、突起とともに、パネル部１０ｂに対して前後方向に進退可能になっている。また、楽器本体１０の上部における第３ピストンバルブ１４の前方には、小指を掛けるための指掛け部１８が形成されている。
【００１８】
楽器本体１０の内部には、図２に示したように、手前側端部の近傍にマイクロフォン２１が音声入力側を後方に向けて組み付けられ、先端のベル部１０ｃには、楽音を発生するためのスピーカー２２が発音側を先端側の外部に向けて収容されている。マイクロフォン２１が組み付けられた楽器本体１０の手前側端部とマウスピース１１の組み付け構造は、図３に示したように構成されている。
【００１９】
すなわち、楽器本体１０は、前方または後方から見た状態で左右に分割された２個の樹脂形成体を組み付けて構成されており、手前側端部にマウスピース１１を取り付けるための細径の取り付け部２３が形成され、その取り付け部２３の内周面に取り付け用ボス２４が形成されている。そして、この楽器本体１０は、取り付け用ボス２４にボルトを差し込んで他方の樹脂成形体の取り付け用ボス（図示せず）に取り付けられたナットに螺合させることにより組みつけられている。また、楽器本体１０の先端側部分にも同様の取り付け用ボス（図示せず）が設けられており、この楽器本体１０を構成する２個の樹脂成形体は前後２箇所でボルトとナットによって固定されている。
【００２０】
楽器本体１０の内部における取り付け部２３の近傍には、マイクロフォン２１に接続された信号線２１ａを通すための穴部２５ａを備えた音遮断用の壁部２５が設けられている。そして、マイクロフォン２１は、信号線２１ａを穴部２５ａに通して楽器本体１０の中央側に延長させた状態で、壁部２５の手前側部分に設置されている。壁部２５は、信号線２１ａを通す穴部２５ａ以外の部分は、隙間のない状態で楽器本体１０と一体的に形成されている。
【００２１】
また、マイクロフォン２１は、壁部２５側の面を壁部２５から所定距離だけ離した状態で、他の面を多孔質部材としてのスポンジ２６に被覆されて取り付けられている。スポンジ２６は、一端が閉塞された円筒状に形成され、取り付け部２３の内周面前端側に形成された本発明にかかる音声通過穴部を備えた壁部としての穴あき壁部２７と壁部２５とに挟まれて支持されている。
【００２２】
穴あき壁部２７は、取り付け部２３に連結された外周部分が厚肉に形成され、中央側部分が薄肉に形成された壁部で構成され、その薄肉部分の中央に音声を通過させるための音声通過穴部２７ａが設けられている。そして、スポンジ２６は音声通過穴部２７ａを閉塞した状態で穴あき壁部２７と壁部２５とに挟まれており、音声通過穴部２７ａを通過して入ってくる唾液や息に伴う湿気を遮って、音声をマイクロフォン２１に入力させる。
【００２３】
取り付け部２３の下端部における穴あき壁部２７の近傍部分には、外部に通じる息抜き穴２３ａが形成されている。また、取り付け部２３の外周面には、前後に間隔を保って、円周に沿った溝部２３ｂ，２３ｃが形成され、溝部２３ｂ，２３ｃにそれぞれシール用のゴムリング２８ａ，２８ｂが取り付けられている。また、マウスピース１１は、演奏者が音声を入力する手前側の開口が演奏者の口を覆うことのできる大きさに形成された漏斗状（円筒状）に形成され、細径に形成された先端の音声出口側部分に、取り付け部２３を差し込むことによりに楽器本体１０に取り付けられる。
【００２４】
また、マウスピース１１の先端下部における息抜き穴２３ａに対応する部分には、切欠き１１ａが形成されている。この切欠き１１ａは、図４に示したように縁部の形状がＵ形に形成されており、マウスピース１１を楽器本体１０に取り付けた際に、マウスピース１１が息抜き穴２３ａを閉塞しなくするために設けられている。この息抜き穴２３ａと切欠き１１ａとで、本発明にかかる連通穴部が構成される。そして、マウスピース１１の手前側端部には、リング状の口当て部１１ｂが取り付けられている。この口当て部１１ｂは、抗菌性の樹脂材料からなっており、本発明にかかる音声入力用開口部を構成する。
【００２５】
楽器本体１０におけるベル部１０ｃの後部側の細径部分には、スピーカー２２に接続された信号線２２ａを通すための穴部２９ａを備えた音遮断用の壁部２９が設けられている。そして、スピーカー２２は、信号線２２ａを穴部２９ａに通して楽器本体１０の中央側に延長させた状態で、壁部２９の先端側（外部側）に発音側を外部に向けて設置されている。壁部２９は、信号線２２ａを通す穴部２９ａ以外の部分は、隙間のない状態で楽器本体１０と一体的に形成されている。また、スピーカー２２は、壁部２９から所定距離だけ離れた状態で取り付けられている。
【００２６】
楽器本体１０の内部における壁部２５，２９間には、この電子楽器Ｍの作動を制御するための信号処理装置３０が収容されている。信号処理装置３０は、マイクロフォン２１から入力した音声信号のピッチ（周波数）を検出するピッチ検出回路と、音声信号の音量レベル（振幅）を検出するレベル検出回路と、第１〜第３ピストンバルブ１２〜１４および複数のパネル操作子１５の操作に連動するスイッチを有し、第１〜第３ピストンバルブ１２〜１４および複数のパネル操作子１５の操作状態を検出するスイッチ回路とからなる本発明の解析手段としての信号処理回路や信号処理を実行するための後述する各装置を備えている。この信号処理装置３０は、信号線２１ａ，２２ａを介して、マイクロフォン２１およびスピーカー２２に接続されている。
【００２７】
つぎに、この電子楽器Ｍが備える各装置について、図４のブロック図を用いて説明する。前述した第１〜第３ピストンバルブ１２〜１４、パネル操作子１５、表示器１６、トリガー１７、マイクロフォン２１およびスピーカー２２は、バス３１を介して互いに接続されている。さらに、電子楽器Ｍには、前述した各装置等の外、信号処理装置３０を構成する各装置等が設けられており、これらの装置もバス３１を介して互いに接続されている。
【００２８】
第１〜第３ピストンバルブ１２〜１４は、押圧する動作と、その押圧を解除する動作とにより楽音の発音制御指示を行い、トリガー１７は、進退する動作によりその発音の状態を変更する処理の指示を行う。また、マイクロフォン２１はインターフェース３２を介してバス３１に接続されており、入力される演奏者の音声を信号に変換して信号処理装置３０に送信する。
【００２９】
また、電子楽器Ｍは、本発明にかかる楽音信号生成手段としての音源３３およびサウンドシステム３４で構成される発音システムを備えており、音源３３は音の波形を作り、この波形に対して、増幅器等からなるサウンドシステム３４で音量を増幅する等の処理がなされる。この際、波形はＤＡ変換されたり、デジタル信号処理によって効果が付与されたりする。そして、処理された波形に対応する音が、スピーカー２２から出力される。
【００３０】
信号処理装置３０は、前述した信号処理回路の外、ＲＯＭ３５、ＲＡＭ３６、ＣＰＵ３７およびタイマー３８を備えており、これらによって演奏に関する各処理が実行される。ＲＯＭ３５は、実行されるプログラムを記憶する読み出し専用のメモリであり、ＲＡＭ３６は、所定のプログラムを実行するために必要な各種レジスタ、フラグなどを含むワーキングメモリとしての書き込み可能なメモリである。
【００３１】
ＣＰＵ３７は、ＲＯＭ３５が記憶するプログラムを中央演算処理装置として実行し、タイマー３８は、そのプログラム実行中の時間を計測する。また、ＣＰＵ３７は、第１〜第３ピストンバルブ１２〜１４、トリガー１７、パネル操作子１５から送信される信号に基づいて指示信号を発音システムに送信し、スピーカー２２の発音を制御する。
【００３２】
また、電子楽器Ｍは、記憶装置３９および記憶装置３９を介して種々の曲データやプログラムを記憶する記憶媒体３９ａも備えている。この記憶媒体３９ａが記憶する信号データは、適宜、読み出すことが可能になっている。その場合、信号データは、音源３３によって楽音に形成され、サウンドシステム３４を介してスピーカー２２から出力される。
【００３３】
また、信号処理装置３０のＲＯＭ３５または記憶装置３９の記憶媒体３９ａには、押圧操作される第１〜第３ピストンバルブ１２〜１４の組み合わせに対応する楽音を決定するための運指テーブル（図示せず）が記憶されている。そして、ＣＰＵ３７がこの運指テーブルに基づいて、第１〜第３ピストンバルブ１２〜１４の組み合わせを運指データに変換する。この変換された運指データに基づいて、各処理が行われスピーカー２２が発音する。
【００３４】
つぎに、以上のように構成した電子楽器Ｍの動作について説明する。まず、電子楽器Ｍをオン状態にして、マウスピース１１に向って発生させようとする楽音に対応する音声を発生するとともに、順次第１〜第３ピストンバルブ１２〜１４を押圧操作する。また、必要に応じて、トリガー１７を操作する。これによって、任意の曲を演奏することができる。
【００３５】
この場合の演奏者による第１〜第３ピストンバルブ１２〜１４の操作状態は、スイッチ回路によって検出される。また、演奏者の音声のピッチは、ピッチ検出回路によって検出され、音声のレベルはレベル検出回路によって検出される。この場合、音声は、マイクロフォン２１によって音声信号に変換されたのち解析処理されるが、この解析は、振動音のゼロクロス点間の時間を検出するスペクトル解析によって行われる。そして、これらの各検出データは、音源３３に供給され、音源３３は、これらの供給された各データに基づいて楽音信号を生成して、その楽音信号に対応した楽音をサウンドシステム３４およびスピーカー２２を介して発音する。
【００３６】
この場合、第１〜第３ピストンバルブ１２〜１４の操作の組み合わせにより、発生される楽音の音高候補として、複数の音高が運指テーブルを介して指定される。例えば、第１〜第３ピストンバルブ１２〜１４のいずれも操作されなければ、発生される楽音の音高候補を、「Ｃ４」、「Ｇ４」、「Ｃ５」、「Ｅ５」などとする。また、第２ピストンバルブ１３だけが操作されれば、発生される楽音の音高候補を、「Ｂ３」、「Ｆ＃４」、「Ｂ４」、「Ｄ＃５」などとする。
【００３７】
そして、これらの音高候補と、マイクロフォン２１から入力された音声信号とによって、所定の楽音が発生される。例えば、第１〜第３ピストンバルブ１２〜１４のいずれも操作されない状態で、「Ａ＃２」と「Ｄ＃３」の間の周波数域の音声を入力すれば「Ｃ４」の音高を有する楽音が発生され、「Ｅ３」と「Ａ３」の間の周波数域の音声を発生すれば「Ｇ４」の音高を有する楽音が発生される。このように、予め設定された運指テ―ブルの運指データに基づいて各楽音が発生され演奏が行われる。
【００３８】
その演奏の際、演奏者の発声は、マウスピース１１の口当て部１１ｂから入りマウスピース１１および取り付け部２３内を通過して、穴あき壁部２７に達する。そして、音声通過穴部２７ａおよびスポンジ２６内を通過してマイクロフォン２１に入力される。また、演奏者の発声とともに吐き出される息は、直接または穴あき壁部２７に当たったのちに息抜き穴２３ａおよび切欠き１１ａを通って外部に出て行く。また、吐出された息が音声通過穴部２７ａを通過してもスポンジ２６によって遮断されるため、マイクロフォン２１には達しない。
【００３９】
また、息とともに吐き出されて取り付け部２３内に溜まる唾液も息とともに、息抜き穴２３ａおよび切欠き１１ａを通って外部に出て行く。このため、多量の唾液が取り付け部２３内に溜まることがない。この場合、息抜き穴２３ａおよび切欠き１１ａは、穴あき壁部２７の手前に位置するため、先端側を下方に傾斜させた状態で電子楽器Ｍを演奏すると、唾液は自然に息抜き穴２３ａおよび切欠き１１ａを通って下方に落下して行く。
【００４０】
また、スピーカー２２から発生する発音は、壁部２５，２９によって遮断されるため、楽器本体１０内を通ってマイクロフォン２１に伝わることがない。また、スピーカー２２の発音による楽器本体１０の振動は、スポンジ２６によって吸収されてマイクロフォン２１に伝わることがない。さらに、スピーカー２２が、前方が開口したベル部１０ｃ内に発音側を前方に向けて取り付けられているとともに、マイクロフォン２１の手前側には、漏斗状のマウスピース１１が取り付けられているため、スピーカー２２の発音が電子楽器Ｍの外部から回り込んでマイクロフォン２１に入力されることも防止できる。したがって、マイクロフォン２１には、演奏者の音声だけが入力され、スピーカー２２の発音が入力されることが防止される。
【００４１】
以上のように、本実施形態にかかる電子楽器Ｍでは、楽器本体１０におけるマイクロフォン２１よりも手前側の部分に、演奏者の音声を通過させる音声通過穴部２７ａを備えた穴あき壁部２７を設けている。そして、マイクロフォン２１における音声入力側部分をスポンジ２６で被覆し、そのスポンジ２６で音声通過穴部２７ａを塞いだ状態で、マイクロフォン２１をスポンジ２６を介して穴あき壁部２７に取り付けている。
【００４２】
このため、演奏者が発生する音声は、穴あき壁部２７の音声通過穴部２７ａからスポンジ２６を通過してマイクロフォン２１に入力される。その際、演奏者が発生する音声とともに、楽器本体１０内に吐出される息や唾液は、穴あき壁部２７およびスポンジ２６によって遮られ、楽器本体１０内のマイクロフォン２１側まで侵入することを防止される。これによって、楽器本体１０の内部中央部分に息による湿気が入り込んで電子楽器Ｍが破損するといったことが防止される。
【００４３】
また、楽器本体１０の取り付け部２３の下部における穴あき壁部２７の近傍に外部に通じる息抜き穴２３ａが設けられ、マウスピース１１における息抜き穴２３ａに対応する部分に切欠き１１ａが設けられて、息抜き穴２３ａと切欠き１１ａとで楽器本体１０の内部と外部とを連通する連通穴部を構成している。このため、演奏者が発声とともに吐出した息は、マウスピース１１から楽器本体１０内に入り、連通穴部から楽器本体１０の外部下方へと抜け出ていく。したがって、楽器本体１０内の息圧が高くなって演奏がしにくくなるということが生じない。また、楽器本体１０内に唾液が溜まることも防止できる。
【００４４】
また、マウスピース１１が、楽器本体１０に対して着脱可能になっているため、電子楽器Ｍの内部を清掃する場合には、マウスピース１１を楽器本体１０から取り外すことによって清掃作業が容易に行える。また、マウスピース１１を楽器本体１０に取り付けることによって、楽器本体１０を構成する２個の樹脂成形体を組み付けるボルトやナットが隠れて見えなくなる。これによって、電子楽器Ｍのデザイン性が向上する。
【００４５】
さらに、取り付け部２３とマウスピース１１との間には、２個のゴムリング２８ａ，２８ｂが設けられているため、マウスピース１１ががたつかない状態で楽器本体１０に取り付けることができるとともに、取り付け部２３とマウスピース１１との間を確実にシールすることができる。また、マウスピース１１には、抗菌性の樹脂材料で構成された口当て部１１ｂが取り付けられているため、衛生的であるとともに、電子楽器Ｍに高級感を出すことができる。
【００４６】
また、楽器本体１０内におけるマイクロフォン２１とスピーカー２２との間に設けられた壁部２５，２９は、楽器本体１０の内部の信号処理装置３０等を外部からの空気流から保護する作用を備えているとともに、壁部２５は、演奏者の発声に伴う息による湿気が内部の信号処理装置３０側に進入することを防止する効果も備えている。
【００４７】
また、本発明の実施にあたっては、前述した実施形態に限定されるものでなく、本発明の目的を逸脱しない限りにおいて種々の変更が可能である。例えば、前述した実施形態では、音声通過穴部２７ａを穴あき壁部２７の中央部に設けた１個の穴部で構成したが、この音声通過穴部としては、複数の小孔で構成することができる。また、穴あき壁部を複数の微小孔を備えた膜状や網状のもので構成することもできる。
【００４８】
さらに、マウスピース１１の形状についても適宜変更が可能であり、口当て部１１ｂをマウスピース１１の本体と一体成形により形成することもできる。また、マウスピース１１を楽器本体１０と一体的に形成することもできる。この場合、楽器本体１０の先端開口部が音声入力用開口部を構成する。また、電子楽器Ｍ等の外形形状もトランペットに限らず、ホルンなどの管楽器やマウスピースを備えた他の楽器の形状にすることができる。
【図面の簡単な説明】
【図１】本発明の一実施形態に係る電子楽器を示す斜視図である。
【図２】図１に示した電子楽器の内部を示す一部切欠き断面図である。
【図３】マウスピースと楽器本体との接続部を示す分解断面図である。
【図４】電子楽器が備える連通穴部を示す一部切欠き底面図である。
【図５】電子楽器が備える各装置を示すブロック図である。
【符号の説明】
１０…楽器本体、１１…マウスピース、１１ａ…切欠き、２１…マイクロフォン、２３…取り付け部、２３ａ…息抜き穴、２６…スポンジ、２７…穴あき壁部、２７ａ…音声通過穴部、３０…信号処理装置、３３…音源、３４…サウンドシステム、３５…ＲＯＭ、３６…ＲＡＭ、３７…ＣＰＵ、３８…タイマー、Ｍ…電子楽器。
【図１】
2005043520.tif 000003
【図２】
2005043520.tif 000004
【図３】
2005043520.tif 000005
【図４】
2005043520.tif 000006
【図５】
2005043520.tif 000007